(57)【要約】【課題】要求に応じて異なる条件で生成された画像を複数の表示手段に表示させることができる画面表示装置および方法を提供すること。【解決手段】複数の表示手段が接続可能な表示手段毎の表示出力部１４０と、表示手段が行う表示に用いる表示情報を入力可能な表示入力部１１０と、表示情報を含む表示データに基づいて各表示手段が行う表示に用いる、表示手段毎の個別コンテンツを生成すると共に、各個別コンテンツの出力を制御する表示制御部１２０と、個別コンテンツを生成するための描画データを記憶するＶＲＡＭ１３０とを備え、描画メモリ１３０のメモリ空間は、複数の描画メモリ空間を有し、表示制御部１２０は、いずれか１以上の描画メモリ空間の描画データを組み合わせて個別コンテンツを生成し、各表示出力部１４０経由で各個別コンテンツを対応する各表示出力部１４０に出力する構成を有している。【選択図】  図１
2005003870.tif 000002
【特許請求の範囲】
【請求項１】
複数の表示手段が接続可能な前記表示手段毎の表示出力手段と、前記表示手段が行う表示に用いる表示情報を入力可能な表示入力手段と、前記表示情報を含む表示データに基づいて各前記表示手段のそれぞれに表示する、個別コンテンツの出力を制御する表示制御手段とを備え、前記表示制御手段は、各前記表示出力手段経由で各前記個別コンテンツを対応する各前記表示出力手段に出力することを特徴とする画面表示装置。
【請求項２】
前記画面表示装置は、前記個別コンテンツを前記表示出力手段に出力するために描画データを記憶する描画メモリを備え、前記描画メモリのメモリ空間は、複数の描画メモリ空間を有し、前記表示制御手段は、いずれか１以上の前記描画メモリ空間の前記描画データを組み合わせて前記個別コンテンツを生成することを特徴とする請求項１に記載の画面表示装置。
【請求項３】
前記表示制御手段は、複数の前記個別コンテンツに共通する前記描画メモリ空間の描画データを共有することを特徴とする請求項２に記載の画面表示装置。
【請求項４】
前記表示制御手段は、各前記表示出力手段に対応する専用メモリ空間を有することを特徴とする請求項２または請求項３に記載の画面表示装置。
【請求項５】
前記表示入力手段に地図が記憶された地図記憶手段が接続され、外部から入力された自車の現在位置の情報から、前記自車の現在位置を前記地図上に表示するための自車位置描画データを生成する自車位置表示手段とを備え、前記表示制御手段は、前記地図と自車位置描画データに基づいて、前記車両の位置を地図上に表示したコンテンツを複数の前記表示手段に出力し、各前記表示手段は、操作入力手段を有しており、前記表示手段に入力された個別の要求に応じて前記個別コンテンツを対応する前記表示手段に出力することを特徴とする請求項１ないし請求項４のいずれかに記載の画面表示装置。
【請求項６】
操作入力が可能な表示手段が接続可能な前記表示入力手段と、車両の走行状態を判断する走行状態判定手段と、前記走行状態に応じて前記表示手段における操作に個別の制限を課す操作制限手段とを備え、前記操作制限手段は、前記表示手段毎に制限を変えることを特徴とする請求項１ないし請求項５のいずれかに記載の画面表示装置。
【請求項７】
前記操作制限手段は、走行状態と前記表示手段の設置状態に応じて操作の制限を行うことを特徴とする請求項６に記載の画面表示装置。
【請求項８】
前記操作制限手段は、前席側の前記表示手段から後席側の前記表示手段に対して操作の制限を行うことを特徴とする請求項６に記載の画面表示装置。
【請求項９】
前記個別コンテンツには前記画面表示装置に接続される被制御装置を操作または制御するための装置操作手段の表示が含まれ、前記装置操作手段を介してする前記被制御装置の操作または制御の優先順位を各表示手段に設定できることを特徴とする請求項１ないし請求項５のいずれかに記載の画面表示装置。
【請求項１０】
要求の内容を判断する判断ステップと、前記判断ステップで判断された要求の内容に応じて外部記憶媒体からコンテンツを読み出す読み出しステップと、前記読み出しステップで読み出されたコンテンツを描画領域に展開する展開ステップと、前記展開ステップで展開されたコンテンツを合成し、前記要求をした表示手段に前記で合成したコンテンツを出力するステップとを備え、前記要求は、複数の前記表示手段からなされることを特徴とする画面表示方法。
【発明の詳細な説明】
【０００１】
【発明の属する技術分野】
本発明は、画面表示装置に関し、特に複数の表示手段に画像を表示させることが可能な画面表示装置および方法に関するものである。
【０００２】
【従来の技術】
従来、車両に搭載され、地図等のナビゲーション情報その他の情報を所定の表示手段に表示させる画面表示装置が知られている。近年、車両の前席と後席との２箇所に設けられた表示手段に表示を行う画面表示装置についての技術が開示された（例えば特許文献１参照）。この装置を搭載した車両の利用者は、前席からだけではなく、後席からも画面表示装置を操作できるようになっている。
【０００３】
ここで、従来の画面表示装置は、ベース画像データおよびマスク画像データを予めＣＰＵ（Ｃｅｎｔｒａｌ  Ｐｒｏｃｅｓｓｉｎｇ  Ｕｎｉｔ）２２が生成しておき、映像合成回路３４がマスク画像をベース画像と合成することにより表示手段に表示させる画像を切り換えるものであった。具体的には、車両の利用者が希望する画像の出力を画面表示装置に要求したとき、画面表示装置は、予め用意されていた画像のうち要求のあった画像以外の部分をマスクで覆い隠して画像信号を生成し、生成した画像信号を要求した表示手段に出力していた。
【０００４】
【特許文献１】
特開平１０−２８８５２８号公報
【０００５】
【発明が解決しようとする課題】
しかしながら、このような従来の画面表示装置では、予め決められた条件で生成された画像の中から出力する画像を特定するものであり、車両の複数の使用者が異なる条件で生成した画像を見ようとしてその画像を要求しても、画像そのものを新たに生成することができないため、要求対象の画像を提供することはできないという問題があった。
【０００６】
本発明はこのような問題を解決するためになされたもので、要求に応じて異なる条件で生成された画像を複数の表示手段に表示させることができる画面表示装置および方法を提供するものである。
【０００７】
【課題を解決するための手段】
本発明の画面表示装置は、複数の表示手段が接続可能な前記表示手段毎の表示出力手段と、前記表示手段が行う表示に用いる表示情報を入力可能な表示入力手段と、前記表示情報を含む表示データに基づいて各前記表示手段のそれぞれに表示する、個別コンテンツの出力を制御する表示制御手段とを備え、前記表示制御手段は、各前記表示出力手段経由で各前記個別コンテンツを対応する各前記表示出力手段に出力する構成を有している。
【０００８】
この構成により、表示制御手段が表示データに基づいて、表示手段毎の個別コンテンツを生成するため、要求に応じて異なる条件で生成された画像を複数の表示手段に表示させることが可能な画面表示装置を実現することができる。
【０００９】
また、本発明の画面表示装置は、前記画面表示装置は、前記個別コンテンツを前記表示出力手段に出力するために描画データを記憶する描画メモリを備え、前記描画メモリのメモリ空間は、複数の描画メモリ空間を有し、前記表示制御手段は、いずれか１以上の前記描画メモリ空間の前記描画データを組み合わせて前記個別コンテンツを生成する構成を有している。
【００１０】
この構成により、画面表示装置が個別コンテンツを生成するための描画データを記憶する描画メモリを備え、表示制御手段が描画メモリ空間の描画データを組み合わせて個別コンテンツを生成するため、表示画像の生成の高速化または容易化を図ることが可能な画面表示装置を実現することができる。
【００１１】
また、本発明の画面表示装置は、前記表示制御手段が、複数の前記個別コンテンツに共通する前記描画メモリ空間の描画データを共有する構成を有している。
【００１２】
この構成により、表示制御手段が複数の個別コンテンツに共通する描画メモリ空間の描画データを共有するため、使用されるメモリ空間を削減することが可能な画面表示装置を実現することができる。
【００１３】
また、本発明の画面表示装置は、前記表示制御手段が、各前記表示出力手段に対応する専用メモリ空間を有する構成を有している。
【００１４】
この構成により、表示制御手段が各表示出力手段に対応する専用メモリ空間を有するため、表示出力手段を介して接続される表示手段からの要求に一層応じた画像を生成することが可能な画面表示装置を実現することができる。
【００１５】
また、本発明の画面表示装置は、前記表示入力手段に地図が記憶された地図記憶手段が接続され、外部から入力された自車の現在位置の情報から、前記自車の現在位置を前記地図上に表示するための自車位置描画データを生成する自車位置表示手段とを備え、前記表示制御手段は、前記地図と自車位置描画データに基づいて、前記車両の位置を地図上に表示したコンテンツを複数の前記表示手段に出力し、各前記表示手段は、操作入力手段を有しており、前記表示手段に入力された個別の要求に応じて前記個別コンテンツを対応する前記表示手段に出力する構成を有している。
【００１６】
この構成により、画面表示装置が、さらに、自車の現在位置の情報を生成する位置情報生成手段、および、自車の現在位置を地図上に表示するための自車位置描画データを生成する自車位置表示手段を備え、各表示手段からの個別の要求に応じて個別コンテンツを対応する表示手段に出力するため、複数の表示手段から異なる地図画面の操作が行われた場合でも、個別に対応した地図画面を表示手段に出力することが可能な画面表示装置を実現することができる。
【００１７】
また、本発明の画面表示装置は、操作入力が可能な表示手段が前記表示入力手段と、車両の走行状態を判断する走行状態判定手段と、前記走行状態に応じて前記表示手段における操作に個別の制限を課す操作制限手段とを備え、前記操作制限手段は、前記表示手段毎に制限を変える構成を有している。
【００１８】
この構成により、画面表示装置が、速度信号に基づいて車両の走行状態を判断し、走行状態に応じて表示手段における操作に個別の制限を課す操作制限手段を備え、操作に課される制限は、表示手段毎に変えることができるため、ユーザが操作することなく適切な画像を表示させることが可能な画面表示装置を実現することができる。
【００１９】
また、本発明の画面表示装置は、前記操作制限手段が、走行状態と前記表示手段の設置状態に応じて操作の制限を行う構成を有している。
【００２０】
この構成により、走行状態と表示手段の設置状態に応じて複数の表示装置の操作制限を任意に設定することによって、エンターティメント性、操作性を向上させると同時に、走行安全性も高めることが可能な画面表示装置を実現することができる。
【００２１】
また、本発明の画面表示装置は、前記操作制限手段が、前席側の前記表示手段から後席側の前記表示手段に対して操作の制限を行う構成を有している。
【００２２】
この構成により、前席側から後席側の表示手段に対して操作の制限を可能とするため、操作性を向上させると同時に、走行安全性も高めることが可能な画面表示装置を実現することができる。
【００２３】
また、本発明の画面表示装置は、前記個別コンテンツには前記画面表示装置に接続される被制御装置を操作または制御するための装置操作手段の表示が含まれ、前記装置操作手段を介してする前記被制御装置の操作または制御の優先順位を各表示手段に設定できる構成を有している。
【００２４】
この構成により、個別コンテンツに装置操作手段の表示が含まれ、装置操作手段を介してする操作等の優先順位を各表示手段に設定できるため、操作性を向上することが可能な画面表示装置を実現することができる。
【００２５】
また、本発明の画面表示方法は、要求の内容を判断する判断ステップと、前記判断ステップで判断された要求の内容に応じて外部記憶媒体からコンテンツを読み出す読み出しステップと、前記読み出しステップで読み出されたコンテンツを描画領域に展開する展開ステップと、前記展開ステップで展開されたコンテンツを合成し、前記要求をした表示手段に前記で合成したコンテンツを出力する出力ステップとを備え、前記要求は、複数の前記表示手段からなされる構成を有している。
【００２６】
この構成により、要求の内容に応じて生成した画像等のコンテンツを要求のあった表示手段に出力するため、要求に応じて異なる条件で生成された画像を複数の表示手段に表示させることが可能な画面表示方法を実現することができる。
【００２７】
【発明の実施の形態】
以下、本発明の実施の形態について、図面を参照して説明する。
（第１の実施の形態）
本発明の第１の実施の形態に係る画面表示装置１００は、図１に示すように、複数の表示手段を接続することが可能な表示出力部１４０（表示出力部１４０は、表示出力手段を構成する。）、各表示手段が行う表示に用いる表示情報を入力可能な表示入力部１１０（表示入力部は、表示入力手段を構成する。）、表示情報を含む表示データに基づいて各表示手段が行う表示に用いる、表示手段毎の個別コンテンツを生成すると共に、各個別コンテンツの出力を制御する表示制御部１２０（表示制御部は、表示制御手段を構成する。）、および表示制御部１２０が生成した個別コンテンツを記憶する描画メモリ１３０（以下、「ＶＲＡＭ（Ｖｉｄｅｏ  Ｒａｎｄｏｍ  Ａｃｃｅｓｓ  Ｍｅｍｏｒｙ）」という。）を備え、表示制御部１２０は、各表示出力部経由で各個別コンテンツを対応する各出力部に出力するようになっている。本画面表示装置１００をカーナビゲーション装置に用いる場合は、表示入力部１１０には、地図データベース１１５が接続され、表示情報のひとつである地図データが入力される。また、表示手段１０、２０には、タッチパネルなどの入力部も設けられており、入力部を介して入力された信号がそれぞれ表示制御部１２０に入力されるようになっているため、表示手段１０、２０から操作者が操作可能となる。
【００２８】
図１において、表示入力部１１０を介して地図データベース１１５（図１には、「地図ＤＢ」として示す。）入力された、地図データ、操作パネル画面データを含む画像データ、テキストデータ等のデータ（図１には、「画像等」として示す）が表示制御部１２０に入力される。
【００２９】
表示制御部１２０は、個別コンテンツを生成するためのデータ（以下、「描画データ」という。）を予め生成してＶＲＡＭ１３０に記憶させておくのでもよい。描画データは、表示入力部１１０を介して入力されたデータを含むデータに基づいて生成される。また、表示制御部１２０は、生成した各個別コンテンツのうち、１度の走査に必要とされるデータ（以下、「ラインデータ」という。）を表示出力部１４０に出力するようになっている。
【００３０】
なお、本発明の実施の形態では、表示制御部１２０が生成した描画データをＶＲＡＭ１３０に記憶させる構成の画面表示装置１００について説明するが、画面表示装置１００は、表示制御部１２０が順次画像データを処理してラインデータを生成し、生成したラインデータを表示出力部１４０に出力する構成であってもよい。
【００３１】
画面表示装置１００は、具体的には図２に示すように構成されるのでもよい。図２には、表示入力部１１０が入出力インタフェース１１１（図２に「Ｉ／Ｏ」として示す。）によって構成される例が示されている。図２に示す表示入力部１１０に、ＤＶＤ（Ｄｉｇｉｔａｌ  Ｖｅｒｓａｔｉｌｅ  Ｄｉｓｃ）デッキ２０１や不図示のハードディスクドライブなどが接続され、これらに記憶されたコンテンツが、Ｉ／Ｏ１１１を介して表示制御部１２０に入力されるようになっている。なお、Ｉ／Ｏ１１１に入力されるその他のコンテンツが表示制御部１２０に出力されるのでもよい。
【００３２】
Ｉ／Ｏ１１１には、例えば、ＧＰＳ（Ｇｌｏｂａｌ  ＰｏｓｉｔｉｏｎｉｎｇＳｙｓｔｅｍ）２２１およびジャイロセンサ２２２（図２には「ジャイロ」として示す。）からのセンサ信号等がセンサ情報処理部２２３によって情報処理されて入力される。Ｉ／Ｏ１１１には、また、ＬＡＮ（Ｌｏｃａｌ  Ａｒｅａ  Ｎｅｔｗｏｒｋ）２３１を介して得られた情報、および、ＦＭ／ＡＭチューナ２１１やＴＶチューナ２１２からの受信信号等が入力されるのでもよい。
【００３３】
また、表示制御部１２０は、画像処理を行う描画プロセッサ１２１、制御処理を行うＣＰＵ（Ｃｅｎｔｒａｌ  Ｐｒｏｃｅｓｓｉｎｇ  Ｕｎｉｔ）１２２、予め決められたプログラムを記憶するプログラムＲＯＭ（Ｒｅａｄ  Ｏｎｌｙ  Ｍｅｍｏｒｙ）１２３、ＤＲＡＭ（Ｄｙｎａｍｉｃ  Ｒａｎｄｏｍ  ＡｃｃｅｓｓＭｅｍｏｒｙ）１２４、バックアップ用に設けられたバックアップＲＡＭ１２５、およびフォントを記憶するフォントＲＯＭ１２６によって構成されるのでもよい。
【００３４】
描画プロセッサ１２１は、例えばＬＳＩ（Ｌａｒｇｅ  Ｓｃａｌｅ  Ｉｎｔｅｇｒａｔｉｏｎ）によって構成され、プログラムＲＯＭ１２３、ＤＲＡＭ１２４、フォントＲＯＭ１２６等に記憶された制御内容が記載されたプログラムおよびデータがＣＰＵ１２２を介して入力され、入力されたプログラムおよびデータに応じて画像処理を行うのでもよい。描画プロセッサ１２１は、生成した個別コンテンツに基づいてラインデータを生成し、予め決められたタイミングでラインデータを順次表示出力部１４０に出力するようになっている。
【００３５】
ＶＲＡＭ１３０のメモリ空間は、複数の描画メモリ空間を有し、各描画メモリ空間には、個別コンテンツを生成するための描画データが記憶されているのでもよい。この場合、表示制御部１２０は、複数の描画データを組み合わせて個別コンテンツを生成するのでもよい。また、描画データは、レイヤ構造を有し、レイヤ毎にデータが描画メモリ空間に記憶されるのでもよい。この場合、表示制御部１２０は、レイヤ毎のデータを組み合わせて個別コンテンツを生成するのでもよい。
【００３６】
また、描画メモリ空間が表示手段毎に割り当てられ、割り当てられた描画メモリ空間のレイヤのデータを組み合わせて個別コンテンツを生成するのでもよい。さらに、各表示手段に表示させる画像のうち、共通するものを生成するためのデータが記録されたレイヤを、共通のレイヤとしてメモリ空間の使用量を削減するのでもよい。この場合、所定の描画メモリ空間は表示手段毎に専用メモリ空間として割り当てられるのでもよい。
【００３７】
また、表示出力部１４０は、例えば図３に示すように、ラインデータを記憶するラインバッファ、ラインバッファに記憶されたラインデータに基づいてディスプレイに表示させるディスプレイコントローラ、およびディスプレイコントローラから出力されるディジタル信号をアナログ信号に変換するＤＡ変換器（図３には、「ＤＡＣ」として示す。）からなる組を複数有するように構成されるのでもよい。図３には、表示出力部１４０が、ラインバッファ１４１ａ、１４１ｂ、・・・、１４１ｎ、ディスプレイコントローラ１４２ａ、１４２ｂ、・・・、１４２ｎ、およびディジタルアナログ変換器１４３ａ、１４３ｂ、・・・、１４３ｎを有し、ラインバッファ１４１ａ、ディスプレイコントローラ１４２ａ、およびディジタルアナログ変換器１４３ａ、等の同一のアルファベットの符号が付されているものどうしが組をなすような構成が示されている。各ディスプレイコントローラからは、ディスプレイに画像を表示するためのディジタル画像信号（図３に、「ディジタルＲＧＢ」として示す。）が出力され、各ディジタルアナログ変換器からは、アナログ画像信号（図３に、「アナログＲＧＢ」として示す。）が出力される。
【００３８】
以上説明したように、本発明の第１の実施の形態に係る装置は、表示制御部が表示データに基づいて、表示手段毎の個別コンテンツを生成するため、要求に応じて異なる条件で生成された異なる画像を複数の表示手段それぞれに異なる画像を表示させることができる。
また、画面表示手段が個別コンテンツを生成するための描画データを記憶する描画メモリを備え、表示制御部が描画メモリ空間の描画データを組み合わせて個別コンテンツを生成するため、表示画像の生成の高速化または容易化を図ることができる。
【００３９】
また、表示制御部が複数の個別コンテンツに共通する描画メモリ空間の描画データを共有するため、使用されるメモリ空間を削減することができる。
また、表示制御部が各表示出力部に対応する専用メモリ空間を有するため、表示出力部を介して接続される表示手段からの要求に一層応じた画像を生成することができる。
【００４０】
（第２の実施の形態）
本発明の第２の実施の形態に係る画面表示装置４００は、図４に示すように、本発明の第１の実施の形態に係る画面表示装置１００に、表示入力部１１０に接続された各部から取得した情報に基づいて自車の現在位置の情報を生成する位置情報生成部４５０（位置情報生成部は、位置情報生成手段を構成する。）、および、自車の現在位置の情報と、表示入力部１１０に接続された地図記憶部２０２に記憶された地図データに基づいて、自車の現在位置を地図上に表示するための自車位置描画データを生成する自車位置表示部４６０（自車位置表示部は、自車位置表示手段を構成する。）を付加した構成を有する。本発明の第２の実施の形態に係る画面表示装置４００のうち、本発明の第１の実施の形態に係る画面表示装置１００と同様の構成部については、同一の符号を付し、その説明を省略する。
【００４１】
位置情報生成部４５０は、センサ情報処理部２２３を介して入力されたＧＰＳ２２１、ジャイロセンサ２２２等からのデータに基づいて地図上の自車位置を決定するようになっている。ＧＰＳ２２１、ジャイロセンサ２２２は、自車位置の情報を得るための手段であり、自車位置の情報を得ることができれば他のセンサ等であってもよい。
【００４２】
自車位置表示部４６０は、位置情報生成部４５０によって決定された、地図上の自車位置に予め決められたマークを表示するための画像データを生成するようになっている。自車位置を示すマークを表示する画像データはひとつのレイヤを用いて生成するのでもよく、表示制御部１２０は、このマークが表示されたレイヤの画像データを地図が表されたレイヤの画像データに重ね合わせて地図上に自車位置を表示するのでもよい。
【００４３】
なお、画面表示装置４００には、表示装置１０、２０の別形態として、オーディオ装置、エアーコンディショナ等の被制御装置が接続され、画面表示装置４００を介してこれらの被制御装置の操作や制御ができるようになっているのでもよい。具体的には、画面表示装置４００に被制御装置を操作や制御するためのボタンやレバー等の装置操作手段が表示され、ポインタ等で装置操作手段を操作できるようになっているのでもよい。その際、画面表示装置４００に接続される表示手段に、予め優先順位を設定しておき、表示手段のユーザは、その優先順位に従って被制御装置を操作や制御できるようになっているのでもよい。また、この優先順位を表示手段から変更できるようになっているのでもよい。
【００４４】
画面表示装置４００には、また、図２に示すように表示入力部１１０を介してＧＰＳ２２１、車速センサ２２０から画面表示装置４００を搭載した車両の速度に応じた速度信号が入力され、画面表示装置４００は、入力された速度信号に基づいて車両が走行中か停止中かなどの走行状態を判断し、走行状態に応じて表示手段における操作に個別の制限を課す操作制限部４７０を備え、表示手段毎に、操作に課される制限を変えることができるようにするのでもよい。一例として、走行中である場合は、前席の表示装置については操作を限定してナビゲーション画面から変更できないようにし、後席の表示装置については、ナビゲーション画面、ＤＶＤ再生など、自由に操作ができるようにするなど、前席、後席で操作制限を変えることもできる。
【００４５】
図５は、本発明の第２の実施の形態に係る画面表示装置４００が複数（図では「２」）の表示手段に画像表示させる例を示す図である。図５（ａ）には、第１の表示手段１０に、地図領域１ａ、固定画面領域１ｂ、およびオンスクリーン領域１ｃに記憶された画像が合成されて表示され、第２の表示手段２０に、地図領域２ａ、固定画面領域２ｂ、およびオンスクリーン領域２ｃに記憶された画像が合成されて表示される例を示す。なお、これらの表示データは、ＶＲＡＭ１３０上の所定の領域に展開されている。
【００４６】
ここで、オンスクリーン領域には、表示手段に表示される画像に所定の画像を重ねるための画像が記憶され、この画像としては、例えば上記の自車位置のマークの画像やメッセージの画像等がある。また、固定画面としては、例えば操作ボタン等を画面に現したものがある。第１の表示手段１０と第２の表示手段２０とには、異なる位置の地図を表示したり、異なる操作ボタンを表示することができるものである。
【００４７】
図５（ｂ）は、第２の表示手段２０に、地図ではなくラジオ放送を選曲する操作ボタンからなる画像が表示されている。これらの操作ボタンは、タッチ方式でボタンの選択を検出するのでも、ポインタを用いて選択するのでもよい。
【００４８】
また、ＶＲＡＭ１３０の描画メモリ空間には、描画コマンド、フォント格納領域等の領域を設けるのでもよい。さらに、専用のメモリ空間を設け、各表示手段からの操作に応じて必要となった画像データを生成し、記憶しておくのでもよい。具体的には、ナビゲーションの同一の画像データを２つの表示手段で表示していたときに、２つの表示手段間で異なる方向に地図をスクロールしていった際に、各スクロール方向毎に表示する地図を専用のメモリ空間に記憶する等がある。
【００４９】
画面表示装置４００が２台の表示手段１０、２０に画像を表示させる場合を例に取り、その処理の流れを、図面を用いて説明する。図６は、２台の表示手段１０、２０に画像を表示させる場合の処理の流れを示すフローチャートである。画面表示装置４００は、はじめに第１の表示手段１０に画像を表示させ（Ｓ６００）、次に第２の表示手段２０に画像を表示させ（Ｓ７００）、その後終了の指示を検知するまでＳ６００およびＳ７００での処理を繰り返す。ステップＳ６００およびステップＳ７００はそれぞれサブルーチンになっており、各サブルーチンにおける処理の流れを、それぞれ、図７および図８に示す。
【００５０】
図７は、ステップＳ６００の処理の内容を詳細に示すフローチャートである。まず、第１の表示手段１０から要求があったのは地図の表示か否かを判断する（Ｓ６０１）。ステップＳ６０１で地図の表示が要求されていると判断した場合、処理は６０２に進み、地図の表示が要求されていないと判断した場合、処理はステップＳ６１１に移る。
【００５１】
ステップＳ６０１で地図の表示が要求されていると判断した場合、表示すべき領域の地図データをＤＶＤから読み出し（Ｓ６０２）、読み出されたデータを描画データに変換してＶＲＡＭ１３０に格納する（Ｓ６０３）。次に、ＶＲＡＭ１３０に格納された描画データを格納された描画メモリ空間とは異なる描画メモリ空間（以下、単に「描画領域」という。）に展開する（Ｓ６０４）。描画領域は、図５において、地図の画像が展開される描画メモリ空間であり、図５（ａ）、（ｂ）にそれぞれ８つのマスからなる領域として示されている。
【００５２】
ステップＳ６０４で描画領域に描画データが描画されたら、第１の表示手段１０から地図をスクロールする要求があったか否かを判断する（Ｓ６０５）。ステップＳ６０５でスクロールの要求はないと判断した場合、自車位置の更新に従って地図を展開しながら表示すべき地図領域１ａ（以下、単に「表示領域」という。）を移動する（Ｓ６０６）。なお、表示が開始された直後では、自車位置を中心とする地図が表示されるのでもよい。ステップＳ６０５でスクロールが要求されたと判断した場合、地図のスクロール方法に従って地図を展開しながら表示領域１ａを移動する（Ｓ６０７）。
【００５３】
ステップＳ６０６またはステップＳ６０７で表示領域１ａを移動させる処理を実行したら、ボタン等を固定画面領域１ｂに展開し（Ｓ６０８）、自車位置マークまたはオンスクリーン等をオンスクリーン領域１ｃに展開する（Ｓ６０９）。ステップＳ６０６またはステップＳ６０７で表示領域が決定し、ステップＳ６０８で固定画面領域１ｂに画像が展開され、ステップＳ６０９でオンスクリーン領域１ｃに画像が展開されたら、表示領域１ａ、固定画面領域１ｂ、およびオンスクリーン領域１ｃの画像を合成して第１の表示手段１０（図７では、「ディスプレイ１」として示す。）に出力する（Ｓ６１０）。こうすることで、ボタン等の表示に変化がないときは、表示領域１ａを移動させる処理によって、地図のみをスクロールさせることもできる。
【００５４】
説明を、ステップＳ６０１で地図の表示が要求されていないと判断した場合についてもどす。この場合、要求されているのは、オーディオの表示か、テレビの表示かを判断する（Ｓ６１１）。ステップＳ６１１でオーディオが要求されている場合にはオーディオの操作画像を、テレビが要求されている場合にはテレビの操作画像を固定画面領域１ｂに展開する（Ｓ６１２）。次に、オンスクリーン等をオンスクリーン領域１ｃに展開する（Ｓ６１３）。ステップＳ６１２で固定画面領域１ｂに画像が展開され、ステップＳ６１３でオンスクリーン領域１ｃに画像が展開されたら、固定画面領域１ｂおよびオンスクリーン領域１ｃの画像を合成して第１の表示手段１０に出力する（Ｓ６１４）。
【００５５】
図８は、ステップＳ７００の処理の内容を詳細に示すフローチャートである。図８に示す処理の内容は、上記と同様の処理を第２の表示手段２０に関して行うものである。
まず、第２の表示手段２０から要求があったのは地図の表示か否かを判断する（Ｓ７０１）。ステップＳ７０１で地図の表示が要求されていると判断した場合、処理は７０２に進み、地図の表示が要求されていないと判断した場合、処理はステップＳ７１１に移る。
【００５６】
ステップＳ７０１で地図の表示が要求されていると判断した場合、表示すべき領域の地図データをＤＶＤから読み出し（Ｓ７０２）、読み出されたデータを描画データに変換してＶＲＡＭ１３０に格納する（Ｓ７０３）。次に、ＶＲＡＭ１３０に格納された描画データを描画領域に展開する（Ｓ７０４）。
【００５７】
ステップＳ７０４で描画領域に描画データが展開されたら、第２の表示手段２０から地図をスクロールする要求があったか否かを判断する（Ｓ７０５）。ステップＳ７０５でスクロールの要求はないと判断した場合、自車位置の更新に従って地図を展開しながら表示領域２ａを移動する（Ｓ７０６）。なお、表示が開始された直後では、自車位置を中心とする地図が表示されるのでもよい。ステップＳ７０５でスクロールが要求されたと判断した場合、地図のスクロール方法に従って地図を展開しながら表示領域２ａを移動する（Ｓ７０７）。
【００５８】
ステップＳ７０６またはステップＳ７０７で表示領域２ａを移動させる処理を実行したら、ボタン等を固定画面領域２ｂに展開し（Ｓ７０８）、自車位置マークまたはオンスクリーン等をオンスクリーン領域２ｃに展開する（Ｓ７０９）。ステップＳ７０６またはステップＳ７０７で表示領域が決定し、ステップＳ７０８で固定画面領域２ｂに画像が展開され、ステップＳ７０９でオンスクリーン領域２ｃに画像が展開されたら表示領域、固定画面領域２ｂ、およびオンスクリーン領域２ｃの画像を合成して第２の表示手段２０（図７では、「ディスプレイ２」として示す。）に出力する（Ｓ７１０）。こうすることで、ボタン等の表示に変化がないときは、表示領域１ａを移動させる処理によって、地図のみをスクロールさせることもできる。
【００５９】
説明を、ステップＳ７０１で地図の表示が要求されていないと判断した場合についてもどす。この場合、要求されているのは、オーディオの表示か、テレビの表示かを判断する（Ｓ７１１）。ステップＳ７１１でオーディオが要求されている場合にはオーディオの操作画像を、テレビが要求されている場合にはテレビの操作画像を固定画面領域２ｂに展開する（Ｓ７１２）。次に、オンスクリーン等をオンスクリーン領域２ｃに展開する（Ｓ７１３）。ステップＳ７１２で固定画面領域２ｂに画像が展開され、ステップＳ７１３でオンスクリーン領域２ｃに画像が展開されたら、固定画面領域２ｂおよびオンスクリーン領域２ｃの画像を合成して第２の表示手段２０に出力する（Ｓ７１４）。画面表示装置４００は、図６に示す処理をフレーム毎に繰り返すことによりユーザが要求する画像を個別に表示するものである。
【００６０】
次に、走行状態に応じて表示手段を介した操作に個別の制限を課す動作について説明する。
車速センサ２２０によって検出される車速に応じたパルス数、またはＧＰＳ２２１で検出される位置情報の変化を、センサ情報処理部２２３が処理することによって車両の速度を算出し、車両が停止しているか走行しているかなどの走行状態を検出する。
そして、例えば、前席に表示装置１０が、後席に表示装置が設置されている場合に、操作制御部４７０は、検出した走行状態に応じて、前席、後席の表示装置に操作の制限を課す。
【００６１】
この制限は、表示手段毎に変えることができるため、例えば、走行中は前席の表示をナビゲーション画面に固定させると共に前席の入力操作に制限を課すようにし、後席の表示装置に対しては、ナビゲーション画面を表示したり、ＤＶＤの再生ができるようにしたりなど、自由に操作を行うようにすることができる。一方、停車中は、前席、後席とも操作の制限を解除するようにすることもできる。このように、走行状態に応じて複数の表示装置の操作制限を任意に設定することによって、エンターティメント性、操作性を向上させると同時に、運転者の操作を制限し、また運転者以外の搭乗者の操作によって前席のナビゲーション画面の表示が急にＤＶＤ再生の表示になってしまうなどの動作が制限されるので、走行安全性も高めることができる。
【００６２】
同様に、ナビゲーション機能とＤＶＤ機能との併用だけでなく、ＴＶ、ラジオの操作においても、走行状態を考慮して前席および後席での操作制限を任意に設定することによって、安全性と操作性を向上させることができる。
【００６３】
さらに前席側から後席側の操作を部分的または全部を禁止することもできる。例えば、前席側でラジオを聴いている場合後席側から勝手に選曲を変更できないようにすることもできる。この場合、後席側は、ＤＶＤなどの別ソースは自由に選択することもできる。
【００６４】
このような、複数の表示手段に対して、個別に操作制限を課す場合にも、前述したように、ひとつの表示制御部にひとつのＶＲＡＭによる共有描画メモリ空間を割り当てて単独の制御系をなすようにして制御するので、制御や描画資源を共有して装置のコストを削減できると同時に安全性、操作性の向上を図ることができる。
【００６５】
以上説明したように、本発明の第２の実施の形態に係る画面表示装置は、さらに、自車の現在位置の情報を生成する位置情報生成部、および、自車の現在位置を地図上に表示するための自車位置描画データを生成する自車位置表示部を備え、各表示手段からの個別の要求に応じて個別コンテンツを対応する表示手段に出力するため、複数の表示手段から異なる地図画面の操作が行われた場合でも、個別に対応した地図画面を表示手段に出力することができる。
【００６６】
また、本発明の第２の実施の形態に係る画面表示装置は、複数の表示手段に操作制限を課す操作制御部と、走行状態を検出する手段とを有することによって、走行状態に応じて、複数の表示装置に対してそれぞれ異なった操作制限を課すことができるので、安全性、操作性の向上を図ることができる。
【００６７】
また、本発明の第２の実施の形態に係る画面表示方法は、要求の内容に応じて生成した画像等のコンテンツを要求のあった表示手段に出力するため、要求に応じて異なる条件で生成された画像を複数の表示手段に表示させることができる。
【００６８】
【発明の効果】
以上説明したように、本発明は、要求に応じて異なる条件で生成された画像を複数の表示手段に表示させることができる画面表示装置および方法を提供することができるものである。
【図面の簡単な説明】
【図１】本発明の第１の実施の形態に係る画面表示装置のブロック構成を示す図
【図２】本発明の第１の実施の形態に係る画面表示装置の具体的構成の一例を示す図
【図３】本発明の第１の実施の形態に係る画面表示装置を構成する表示出力部の具体的構成の一例を示す図
【図４】本発明の第２の実施の形態に係る画面表示装置のブロック構成を示す図
【図５】本発明の第２の実施の形態に係る画面表示装置が表示手段に画像表示させる例を示す説明図
【図６】本発明の第２の実施の形態に係る画面表示方法の処理の流れを示すフローチャート
【図７】本発明の第２の実施の形態に係る画面表示方法における一部の処理の流れを示すフローチャート
【図８】本発明の第２の実施の形態に係る画面表示方法における一部の処理の流れを示すフローチャート
【図９】従来の画面表示装置の構成を示すブロック図
【符号の説明】
１ａ、２ａ  地図領域
１ｂ、２ｂ  固定画面領域
１ｃ、２ｃ  オンスクリーン領域
１０、２０  表示手段
２２  ＣＰＵ
３４  映像合成回路
１００、４００  画面表示装置
１１０  表示入力部
１１１  入出力インタフェース（Ｉ／Ｏ）
１１５  地図データベース
１２０  表示制御部
１２１  描画プロセッサ
１２２  ＣＰＵ
１２３  プログラムＲＯＭ
１２４  ＤＲＡＭ
１２５  バックアップＲＡＭ
１２６  フォントＲＯＭ
１３０  描画メモリ（ＶＲＡＭ）
１４０  表示出力部
１４１ａ〜ｎ  ラインバッファ
１４２ａ〜ｎ  ディスプレイコントローラ
１４３ａ〜ｎ  ディジタルアナログ変換器
２０１  ＤＶＤデッキ
２０２  地図記憶部
２１１  ＦＭ／ＡＭチューナ
２１２  ＴＶチューナ
２２１  ＧＰＳ
２２２  ジャイロセンサ
２２３  センサ情報処理部
２３１  ＬＡＮ
４５０  位置情報生成部
４６０  自車位置表示部
【図１】
2005003870.tif 000003
【図２】
2005003870.tif 000004
【図３】
2005003870.tif 000005
【図４】
2005003870.tif 000006
【図５】
2005003870.tif 000007
【図６】
2005003870.tif 000008
【図７】
2005003870.tif 000009
【図８】
2005003870.tif 000010
【図９】
2005003870.tif 000011